(57)【要約】      （修正有）【課題】大きな室内の天井壁、側壁などを縞模様に間接照明することができる間接照明構造を提供する。【解決手段】所定方向に相互に隣接して配設される一対の壁部材２（例えば、天井壁部材）と、一対の壁部材２のうちの一方の壁部材２の表面を照射するための照明手段１８とを備えた間接照明構造で、一方の壁部材２の表面は所定方向に波形となるように形成され、一方の壁部材２の隣接する一端部２６と他方の壁部材２の隣接する一端部２８とは、所定方向に対して垂直な方向に間隔をおいて配設され、一方の壁部材２の隣接する一端部２６と他方の壁部材２の隣接する一端部２８との間の空間に照明手段１８が配設され、照明手段１８は、一方の壁部材２の隣接する一端部２６側から他端部２８側に向けて照射する。【選択図】図２
2013122871.tif 000002
【特許請求の範囲】
【請求項１】
所定方向に相互に隣接して配設される一対の壁部材と、前記一対の壁部材のうちの一方の壁部材の表面を照射するための照明手段とを備え、前記一方の壁部材の表面は、前記所定方向に波形となるように形成され、前記一方の壁部材の隣接する一端部と前記一対の壁部材のうちの他方の壁部材の隣接する一端部とは、前記所定方向に対して垂直な方向に間隔をおいて配設され、前記一方の壁部材の前記隣接する一端部と前記他方の壁部材の前記隣接する一端部との間の空間に、前記照明手段が配設され、前記照明手段は、前記一方の壁部材の前記隣接する一端部側から他端部側に向けて照射することを特徴とする間接照明構造。
【請求項２】
前記一対の壁部材は実質上同一の構成の波形プレートから構成され、前記一方の壁部材の前記隣接する一端部側及び前記他方の壁部材の他端側は裏面側に略円弧状に突出して延び、前記一方の壁部材の前記他端側及び前記他方の壁部材の前記隣接する一端側は略平面状に延び、前記他方の壁部材の前記隣接する前記一端部が前記一方の壁部材の前記隣接する一端部を覆うように配置され、前記照明手段は、前記一方の壁部材の前記隣接する一端部側の略円弧状の表面を照射することを特徴とする請求項１に記載の間接照明構造。
【請求項３】
前記一対の壁部材は実質上同一の構成の波形プレートから構成され、前記一方の壁部材の前記隣接する一端部側及び前記他方の壁部材の他端側は略平面状に延び、前記一方の壁部材の前記他端側及び前記他方の壁部材の前記一端側は表面側に略円弧状に突出して延び、前記他方の壁部材の前記隣接する一端部が前記一方の壁部材の前記隣接する一端部を覆うように配置され、前記照明手段は、前記一方の壁部材の前記隣接する一端部側の略平面状の表面を照射することを特徴とする請求項１に記載の間接照明構造。
【請求項４】
前記一対の壁部材は、建造物の天井壁部材であり、前記一方の壁部材の前記隣接する一端部と前記他方の壁部材の前記隣接する一端部とは、上下方向に間隔をおいて配設され、前記照明手段は、前記一方の壁部材の上側に位置する前記隣接する一端部と前記他方の壁部材の下側に位置する前記隣接する一端部との間の空間に配設されることを特徴とする請求項１に記載の間接照明構造。
【請求項５】
波形プレートから構成される壁部材が前記所定方向に３つ以上配設され、これらの壁部材のうちの相互に隣接する前記一対の壁部材はそれぞれ、前記一方の壁部材の前記隣接する一端部とそれらの他方の壁部材の前記隣接する一端部とは、前記所定方向に対して垂直な方向に間隔をおいて配設され、前記一方の壁部材の前記隣接する一端部と前記他方の壁部材の前記隣接する一端部との間の空間に、前記照明手段が配設されていることを特徴とする請求項１に記載の間接照明構造。
【発明の詳細な説明】
【技術分野】
【０００１】
本発明は、建造物の天井、壁などに用いる間接照明構造に関する。
【背景技術】
【０００２】
建造物（例えば、ユニットルーム）の間接照明構造として、室内の天井壁を波形パネルで形成するとともに、この室内の側壁に間接照明手段（例えば、照明具）を配設したものが提案されている（例えば、特許文献１参照）。この間接照明構造では、天井壁の長さ方向中央部分が最低部となるように構成され、間接照明手段からの光が側壁側から天井壁に照射される。
【０００３】
このような間接照明構造では、天井壁を間接照明手段によってライトアップすることができ、更にこのライトアップ状態においては、間接照明手段から離れるに従って明るい帯状領域と暗い帯状領域とが交互に繰り返される縞模様となり、またこの縞模様の境界領域がぼやけたものとなり、従って、天井を幻想的な雰囲気に間接照明することができる。
【先行技術文献】
【特許文献】
【０００４】
【特許文献１】実用新案登録第２５６４３２０号公報
【発明の概要】
【発明が解決しようとする課題】
【０００５】
しかしながら、この間接照明構造では、次の解決すべき問題がある。即ち、間接照明手段が室内（例えば、ユニットルーム）の側壁に設けられているので、室内が小さいときにはこの間接照明手段によって天井壁を効果的に照明することができるが、室内が大きくなると、間接照明手段からの光が天井壁の中央部付近まで到達せず、天井壁を効果的に照明することができない。このようなことから、大きな室内の天井壁に適用することができる間接照明構造の実現が望まれていた。また、室内の天井壁に限らず、室内の側壁、室外の外壁などにも適用することができる間接照明構造の実現が望まれていた。
【０００６】
本発明の目的は、大きな室内の天井壁、側壁などを縞模様に間接照明することができる間接照明構造を提供することである。
【課題を解決するための手段】
【０００７】
本発明の請求項１に記載の間接照明構造は、所定方向に相互に隣接して配設される一対の壁部材と、前記一対の壁部材のうちの一方の壁部材の表面を照射するための照明手段とを備え、前記一方の壁部材の表面は、前記所定方向に波形となるように形成され、前記一方の壁部材の隣接する一端部と前記一対の壁部材のうちの他方の壁部材の隣接する一端部とは、前記所定方向に対して垂直な方向に間隔をおいて配設され、前記一方の壁部材の前記隣接する一端部と前記他方の壁部材の前記隣接する一端部との間の空間に、前記照明手段が配設され、前記照明手段は、前記一方の壁部材の前記隣接する一端部側から他端部側に向けて照射することを特徴とする。
【０００８】
また、本発明の請求項２に記載の間接照明構造では、前記一対の壁部材は実質上同一の構成の波形プレートから構成され、前記一方の壁部材の前記隣接する一端部側及び前記他方の壁部材の他端側は裏面側に略円弧状に突出して延び、前記一方の壁部材の前記他端側及び前記他方の壁部材の前記隣接する一端側は略平面状に延び、前記他方の壁部材の前記隣接する前記一端部が前記一方の壁部材の前記隣接する一端部を覆うように配置され、前記照明手段は、前記一方の壁部材の前記隣接する一端部側の略円弧状の表面を照射することを特徴とする。
【０００９】
また、本発明の請求項３に記載の間接照明構造では、前記一対の壁部材は実質上同一の構成の波形プレートから構成され、前記一方の壁部材の前記隣接する一端部側及び前記他方の壁部材の他端側は略平面状に延び、前記一方の壁部材の前記他端側及び前記他方の壁部材の前記一端側は表面側に略円弧状に突出して延び、前記他方の壁部材の前記隣接する一端部が前記一方の壁部材の前記隣接する一端部を覆うように配置され、前記照明手段は、前記一方の壁部材の前記隣接する一端部側の略平面状の表面を照射することを特徴とする。
【００１０】
また、本発明の請求項４に記載の間接照明構造では、前記一対の壁部材は、建造物の天井壁部材であり、前記一方の壁部材の前記隣接する一端部と前記他方の壁部材の前記隣接する一端部とは、上下方向に間隔をおいて配設され、前記照明手段は、前記一方の壁部材の上側に位置する前記隣接する一端部と前記他方の壁部材の下側に位置する前記隣接する一端部との間の空間に配設されることを特徴とする。
【００１１】
更に、本発明の請求項５に記載の間接照明構造では、波形プレートから構成される壁部材が前記所定方向に３つ以上配設され、これらの壁部材のうちの相互に隣接する前記一対の壁部材はそれぞれ、前記一方の壁部材の前記隣接する一端部とそれらの他方の壁部材の前記隣接する一端部とは、前記所定方向に対して垂直な方向に間隔をおいて配設され、前記一方の壁部材の前記隣接する一端部と前記他方の壁部材の前記隣接する一端部との間の空間に、前記照明手段が配設されていることを特徴とする。
【発明の効果】
【００１２】
本発明の請求項１に記載の間接照明構造によれば、所定方向に相互に隣接して配設される一対の壁部材を含み、一方の壁部材の表面は波形となるように形成され、照射手段はこの壁部材の波形表面を隣接する一端部側から他端部側に向けて照射するので、照射手段によって照射される壁部材の波形表面は明るい帯状領域となり、照射の陰となる壁部材の波形表面は暗い帯状表面となり、また照明手段から離れるに従い明るい帯状領域及び暗い帯状領域がぼやけたものとなり、従って、一方の壁部材の一端部側から他端部側に向けて縞模様が除々にぼやけて暗くなり、このようなグラデーションによって、一方の壁部材の表面を幻想的な雰囲気に照明することができる。また、一方の壁部材の隣接する一端部と他方の壁部材の隣接する一端部との間の空間に照明手段が配設されるので、照明手段が露呈せず、一方の壁部材の表面を縞模様に間接照明することができる。即ち、照射する方向側から見ると、照明手段が見えず、グラデーションが明確に見え、壁部材の表面を幻想的な雰囲気に照明することができ、また照射する方向の反対側から見ると、一方の壁部材の隣接する一端部と一対の壁部材のうちの他方の壁部材の隣接する一端部の重なり部分の裏側の一端部にて、壁部材の裏側が見えず（露呈せず）、体裁のよい施工ができる。そして、このような一対の壁部材を連続的に配設することによって大きな壁に適用することができる。尚、このような壁部材とは、室内の天井壁部材、側壁部材、床壁部材、室外の外壁部材などであり、これら各種壁（天井壁、側壁、床壁、外壁など）に適用することができる。
【００１３】
また、本発明の請求項２に記載の間接照明構造によれば、一対の壁部材は実質上同一の構成の波形プレートから構成され、一方の壁部材の隣接する一端部側及び他方の壁部材の他端側は裏面側に略円弧状に突出して延び、一方の壁部材の他端側及び他方の壁部材の隣接する一端側は略平面状に延び、他方の壁部材の隣接する一端部が一方の壁部材の隣接する一端部を覆うように配置されているので、一方の壁部材の隣接する一端部と他方の壁部材の一端部との間に照明手段のための空間を確保することができ、この空間に配設された照明手段によって、一方の壁部材の一端側表面を縞模様に間接照明することができる。
【００１４】
また、本発明の請求項３に記載の間接照明構造によれば、一対の壁部材は実質上同一の構成の波形プレートから構成され、一方の壁部材の隣接する一端部側及び他方の壁部材の他端側は略平面状に延び、一方の壁部材の他端側及び他方の壁部材の一端側は表面側に略円弧状に突出して延び、他方の壁部材の隣接する一端部が一方の壁部材の隣接する一端部を覆うように配置されているので、一方の壁部材の隣接する一端部と他方の壁部材の隣接する他端部との間に照明手段のための空間を確保することができ、この空間に配設された照明手段によって、一方の壁部材の一端側表面を縞模様に間接照明することができる。
【００１５】
また、本発明の請求項４に記載の間接照明構造によれば、一つの壁部材が天井壁部材から構成されて建造物の天井に適用され、一方の壁部材の上側に位置する隣接する一端部と他方の壁部材の下側に位置する隣接する一端部との間の空間に照明手段が配設されるので、天井壁表面を縞模様に間接照明することができる。
【００１６】
更に、波形プレートから構成される壁部材が所定方向に３つ以上配設され、これらの壁部材のうちの相互に隣接する一対の壁部材はそれぞれ、一方の壁部材の隣接する一端部とそれらの他方の壁部材の隣接する一端部との間の空間に照明手段が配設されているので、縞模様のグラデーションを所定方向に繰り返し現れるように間接照明することができる。
【図面の簡単な説明】
【００１７】
【図１】本発明に従う間接照明構造の第１の実施形態の要部を簡略的示した斜視図。
【図２】図１の間接照明構造を示す横断面図。
【図３】本発明に従う間接照明構造の第２の実施形態を示す横断面図。
【発明を実施するための形態】
【００１８】
以下、添付図面を参照して、本発明に従う間接照明構造の実施形態について説明する。尚、以下の実施形態においては、本発明の間接照明構造を建造物の天井に適用して説明する。
【００１９】
まず、図１及び図２を参照して、第１の実施形態の間接照明構造について説明する。図１及び図２において、図示の間接照明構造は、複数の天井壁部材２（壁部材を構成する）を備え、これら複数の天井壁部材２が所定方向（図１及び図２において左右方向であって、例えば建造物の奥行き方向）及び所定方向に対して垂直な方向（図１において左下から右上の方向、図２において紙面に垂直な方向であって、例えば建造物の横方向）に並べて  配設される。これら天井壁部材２は実質上同一の構成の波形プレート（所謂、波板）、例えば、ステンレス製プレート、カラー金属プレート、樹脂製プレートなどから構成される。尚、天井壁部材２は、一枚の波形プレート又は複数枚の波形プレートから構成される。
【００２０】
これら天井壁部材２は、例えば、次のようにして取り付けられる。建造物の天井部分には、上記所定方向に（図１及び図２において左右方向）に延びる梁部材４が設けられ、この梁部材４は、上記所定方向に対して垂直な方向（図１において左下から右上の方向、図２において紙面に垂直な方向）に所定間隔をおいて配設される。
【００２１】
各梁部材４には、その長手方向（上記所定方向）に間隔をおいて複数の取付部材６が取り付けられている。これら取付部材６は梁部材４から垂直下方に延び、これら取付部材６の下端に支持部材８が取り付けられている。支持部材８は上記所定方向に対して垂直な方向に延び、この支持部材８に壁取付部材１０が取り付けられている。
【００２２】
この形態では、各壁取付部材１０は一対の支持部材８に支持されるように構成されている。即ち、壁取付部材１０の略中央部には取付凹部１２が設けられ、この取付凹部１２に一方の支持部材８が収容されて連結され、またその端部には取付凹部１４が設けられ、この取付凹部１４に他方の支持部材８が収容されて連結され、このようにして各壁取付部材１０が支持部材８に支持されている。尚、この実施形態では、壁取付部材１０を一対の支持部材８によって支持しているが、三つ以上の支持部材８によって支持するようにしてもよい。
【００２３】
この形態では、図１及び図２から理解されるように、一対の壁取付部材１０及びこれらに後述する如くして取り付けられる天井壁部材２によって一つの天井壁ユニット１６が構成され、この天井壁ユニット１６が上記所定方向（例えば、建造物の奥行き方向）に連続的に複数配設されるとともに、上記所定方向に対して垂直な方向（例えば、建造物の横方向）に連続的に複数配設される。尚、この実施形態では、一対の壁取付部材１０により天井壁ユニット１６を構成しているが、三つ以上の壁取付部材１０により天井壁ユニット１６を構成するようにしてもよい。
【００２４】
各天井壁ユニット１６は、天井壁部材２を照明するための照明手段１８を含んでいる。各照明手段１８は、一つ又は二つ以上の蛍光灯又は電球、或いは複数のＬＥＤなどから構成され、壁取付部材１０の端部側（取付凹部１４が設けられた側とは反対側の端部側）に対応して設けられている。この形態では、上記所定方向に対して垂直な方向に配設された取付部材６に取付プレート２０が取り付けられ、この取付プレート２０の表面側（図２において左面側であって、天井壁部材２と対向する側）に照明手段１８が取り付けられている。
【００２５】
次に、各天井壁ユニット１６の配置構造について説明する。主として図２を参照して、各壁取付部材１０は、照明手段１８が配置された端部２２側は、上側（即ち、裏面側）に略円弧状に突出して延び、取付凹部１４が設けられた端部２４側が略水平方向に延び、このような壁取付部材１０の下面に天井壁部材２が固定用ビスなどによって取り付けられる。このように天井壁部材２を取り付けると、図２に示すように、天井壁部材２は、壁取付部材１０の下面に沿った形状に取り付けられ、照明手段１８側の端部２６側は、上側（背面側）に略円弧面状（「円弧面状」とも表現する）に突出して延び、取付凹部１８側の端部２８側は略平面状（「平面状」とも表現する）に延びる。
【００２６】
このような間接照明構造では、上記所定方向に、即ち照明手段１８側の端部２６側から取付凹部１４側の端部２８側に向けて波形となるように天井壁部材２を取り付けることが重要である。この天井壁部材２の波形の大きさは、例えば、波形ピッチが３０〜８０ｍｍ、波形高さが８〜２０ｍｍ程度のものを用いることができ、波形の大きい（又は小さい）ものを用いた場合、照明手段１８により照射したときに明るい帯状領域と暗い帯状領域との縞模様のピッチが大きく（又は小さく）なり、波形の大きさを適宜選択することによって所望の縞模様を得ることができる。
【００２７】
この間接照明構造では、また、所定方向に隣接する天井壁ユニット１６（即ち、天井壁部材２）は、次のように配置される。隣接する一方の天井壁ユニット１６（例えば、図２において中央に示すユニット）と隣接する他方の天井壁ユニット１６（例えば、図２において右側に一部示すユニット）に関し、他方の天井壁ユニット１６（隣接する他方の天井壁部材２）の隣接する端部（取付凹部１４側の端部）が一方の天井壁ユニット１６（隣接する一方の天井壁部材２）の隣接する端部を覆うように配設され、この場合、一方の天井壁部材２の隣接する端部２６の下側に他方の天井壁部材２の隣接する端部２８が配設される。壁取付部材１０の形状及び上述した配置に関連して、一方の天井壁部材２の隣接する端部２６（裏面側に円弧面状に突出している端部）と他方の天井壁部材２の隣接する端部２８（水平面状に延びる端部）とが上記所定方向に対して垂直な方向、この例では上下方向に間隔をおいて重なり、このように重なった一方の天井壁部材２の端部２６と他方の天井壁部材２の端部２８との間の空間に照明手段１８が配設され、このように配設することによって、照明手段１８が他方の天井壁部材２の端部２８の内側に隠れて外部に露呈することがない。
【００２８】
また、この照明手段１８は、一方の天井壁部材２の裏側に円弧面状に突出している端部２６に対向して配置され、この端部２６に向けて照射するので、照明手段１８の照射状態においては、一方の天井壁部材２の円弧面状の端部２６には光が届き、この端部２６の表面の光が当たる部分は明るい帯状領域となり、その端部２６の表面の光が当たらない部分は暗い帯状領域となり、明るい帯状領域と暗い帯状領域とが交互に繰り返される縞模様となり、この縞模様は照明手段１８から離れるに従って薄い縞模様となる。また、一方の天井壁部材２の水平面状の端部２８にはほとんど光りが届かず、全体が暗い領域となる。従って、この照明手段１８によって上述したグラデーションでもって天井壁面を間接照明することができ、天井壁ユニット１６を所定方向に複数配設することによって、このグラデーションが所定方向に繰り返えされるように間接照明することができる。
【００２９】
このような間接照明構造では、円弧面状の端部２６の長さを長く（又は短く）することによって縞模様の領域の長さを長く（又は短く）することができ、また円弧面状の端部２６の円弧面状形状を変えることによって、明暗の縞模様の形状を変えることができる。
【００３０】
このような間接照明構造は、例えばホールなどの大きな建造物の天井に適用することができ、この場合、例えば矢印３０（図２参照）で示す方向に入場するようになる。そして、入場する際に、入口から奥に向けて明暗の縞模様領域（奥側に向けて薄くなる縞模様）とそれに続く大きい暗い領域とが繰り返され、入場者に幻想的な雰囲空間の中に入っていく感じを与え、また退出するときには幻想的雰囲気空間の中から出て行くという感じを与えることができる。尚、幻想的な雰囲気が出るように、天井壁ユニット１６の照明手段１８の照度を調整して、建造物の奥側に入るに従ってグラデーション全体の照度をより暗くなるように構成することもできる。
【００３１】
次に、図３を参照して、本発明に従う間接照明構造の第２の実施形態について説明する。この第２の実施形態においては、天井壁部材の水平面状部分を照射するように構成されている。尚、この第２の実施形態において、上述した第１の実施形態と実質上同一の部材には同一の参照番号を付し、その説明を省略する。
【００３２】
図３において、この第２の実施形態においては、隣接する一方の天井壁ユニット１６Ａ（例えば、図３において中央に示すユニット）と隣接する他方の天井壁ユニット１６Ａ（例えば、図３において左側に一部示すユニット）に関し、他方の天井壁ユニット１６Ａ（隣接する他方の天井壁部材２Ａ）の隣接する端部（円弧面状の端部）が一方の天井壁ユニット１６Ａ（隣接する一方の天井壁部材２Ａ）の隣接する端部（水平面状の端部）を覆うように配設され、この場合、一方の天井壁部材２の隣接する端部２８Ａの下側に他方の天井壁部材２Ａの隣接する端部２６Ａが配設される。
【００３３】
この形態では、壁取付部材１０Ａの一端部側（図３において右端部側）は、表面側（図３において下側）に略円弧状に突出して延び、その他端側（図３において左端部側）は、略水平状に延びており、このような壁取付部材１０Ａの下面に沿って天井壁部材２Ａが取り付けられるので、取り付けた状態においては、天井壁ユニット１６Ａの一端部側においては、天井壁部材２Ａは略円弧面状（「円弧面状」とも表現する）に表面側に突出して延び、その他端部側においては、天井壁部材２Ａは略水平面状（「水平面状」とも表現する）に延びる。
【００３４】
天井壁部材２Ａの形状及び上述した配置に関連して、一方の天井壁部材２Ａの隣接する端部２８Ａ（水平面状の端部）と他方の天井壁部材２Ａの隣接する端部２６Ａ（円弧面状の端部）とが所定方向（図３において左右方向）に対して垂直な方向、この例では上下方向に間隔をおいて重なり、このように重なった一方の天井壁部材２Ａの端部２８Ａと他方の天井壁部材２Ａの端部２６Ａとの間の空間に照明手段１８が配設され、このように配設することによって、第１の実施形態と同様に、照明手段１８が他方の天井壁部材２Ａの端部２６Ａの内側に隠れて外部に露呈することがない。また、このように構成することによって、他方の天井壁部材２Ａの円弧面状端部２６Ａの内側空間を各種部材（例えば、天井壁部材２Ａを取り付けるための部材）の配置空間として利用することができ、このことに関連して、天井壁部材２Ａの設置高さを高くすることができ、これによって、高い室内空間を確保することができる。
【００３５】
この第２の実施形態では、照明手段１８は、一方の天井壁部材２Ａの水平面状に延びる端部２８Ａに対向して配置され、この端部２８Ａに向けて照射するので、照明手段１８の照射状態においては、一方の天井壁部材２Ａの水平面状の端部２８Ａからこれに続く円弧面状の端部２６Ａの一部（円弧面状に下方延びている部分）には光が届き、この端部２８Ａ及び端部２６Ａの一部の表面の光が当たる部分は明るい帯状領域となり、これら端部２８Ａ及び２６Ａの一部の表面の光が当たらない部分は暗い帯状領域となり、明るい帯状領域と暗い帯状領域とが交互に繰り返され、照明手段１８から離れるに従って薄い縞模様となる。これに対して、一方の天井壁部材２Ａの円弧面状の端部２６Ａの残部（円弧面状に上方に延びている部分）にはほとんど光りが届かず、全体が暗い領域となる。
【００３６】
この第２の実施形態では、例えば矢印３２で示す方向に入場するようになり、このように入場することによって、第１の実施形態と同様に、入口から奥に向けて明暗の縞模様領域（奥側に向けて薄くなる縞模様）とそれに続く大きい暗い領域の間接照明のグラデーションが得られ、このようなグラデーションが奥に向けて連続的に繰り返され、第１の実施形態と同様に、入場者に幻想的な雰囲空間の中に入っていく感じを与え、また退出するときには幻想的雰囲気空間の中から出て行くという感じを与えることができる。
【００３７】
この第２の実施形態では、照明手段１８の裏側に反射部材３４が設けられており、このように反射部材３４を設けることによって、照明手段１８からの光をより効率的に天井壁部材２Ａの端部２８Ａ側に照射することができる。尚、このような反射部材３４は、第１の実施形態のものにも適用することができる。  
以上、本発明に従う間接照明構造の実施形態について説明したが、本発明はかかる実施形態に限定されるものではなく、本発明の範囲を逸脱することなく種々の変形乃至修正が可能である。
【００３８】
例えば、上述した実施形態では、各天井壁ユニット１６（１６Ａ）に照明手段１８を設けているが、所定方向に連続する天井壁ユニット１６（１６Ａ）の一つ置きのものにおける照明手段１８を省略するようにしてもよい。
【００３９】
また、例えば、上述した実施形態では、波形プレートを利用して壁部材２（２Ａ）の表面に波形形状を形成しているが、このような構成に限定されず、プレート状の壁部材の表面に加工を施して波形を形成するようにしてもよい。
【００４０】
更に、例えば、上述した形態では、建造物の天井壁構造に適用して説明したが、これに限定されず、建造物の側壁構造、床壁構造、外壁構造などにも同様に適用することができる。側壁構造、外壁構造に適用した場合、隣接する一対の側壁部材の一方の側壁部材の隣接する端部とそれらの他方の側壁部材の隣接する端部とは横方向に間隔をおいて重ねられ、照明手段はこれら隣接する端部間の空間に配設される。また、床構造に適用した場合、図１及び図２に示す形態及び図３に示す形態において上下逆に配設されて床面側に明暗の縞模様が現れるように構成され、更に、これら間接照明構造を覆うように強化ガラスなどの床部材が設けられる。
【符号の説明】
【００４１】
２，２Ａ  天井壁部材
１０，１０Ａ  壁取付部材
１６，１６Ａ  天井壁ユニット
１８  照明手段
【図１】
2013122871.tif 000003
【図２】
2013122871.tif 000004
【図３】
2013122871.tif 000005